(57)【要約】【課題】安全且つ簡易に取り付け取り外しを行うことができる留め具を用いたシャツを提供する。【解決手段】ワイシャツ１０は、フック状係合素子とループ状係合素子が同一面に設けられ、柔らかいループ状のフックが高くなるように形成されている面ファスナー１４を留め具として用いている。第１の面ファスナー部材１４ａは、第１の前開き端部１１ａの表側に縫い付けられており、第２の面ファスナー部材１４ｂは、第２の前開き端部１１ｂの裏側に縫い付けられている。ワイシャツ１０は、あらゆる年齢の人にとっても、また高齢者や身体の不自由な人にとっても、ボタンを用いて留める必要がないことより、人手に頼ることなく安全に且つ簡易に着用することができる。【選択図】図１
0003212261.tif 000002
【実用新案登録請求の範囲】
【請求項１】
衣服として上半身を覆うように形成されており、見頃部が第１の前開き端部と第２の前開き端部を有する前開きであり、前記第１の前開き端部と前記第２の前開き端部を重ねて留めるようにする複数の留め具が設けられているシャツであって、
前記複数の留め具は、フック状係合素子とループ状係合素子が同一面に設けられた複数の第１の面ファスナー部材と複数の第２の面ファスナー部材からなり、前記複数の第１の面ファスナー部材と前記複数の第２の面ファスナー部材の対応するそれぞれが、着脱可能なように構成されている複数の面ファスナーであることを特徴とするシャツ。
【請求項２】
袖部と襟部をさらに有するワイシャツであり、前記複数の第１の面ファスナー部材が前記第１の前開き端部の表側に固着され、前記複数の第２の面ファスナー部材が前記第２の前開き端部の裏側に固着され、前記複数の第２の面ファスナー部材と対応する前記第２の前開き端部の表側に複数のボタンが固着されていることを特徴とする請求項１に記載のシャツ。
【請求項３】
前記袖部のそれぞれの袖口に前記面ファスナーが固着され且つカフスボタンが固着されていることを特徴とする請求項２に記載のシャツ。
【請求項４】
ブラウスであることを特徴とする請求請１に記載のシャツ。
【考案の詳細な説明】
【技術分野】
【０００１】
本考案は、シャツに関する。
【背景技術】
【０００２】
衣服として上半身を覆うように形成されているワイシャツ、ブラウスなどのシャツの留め具としては、ボタンが一般的に用いられている。
【考案の概要】
【考案が解決しようとする課題】
【０００３】
上記のワイシャツ、ブラウスなどの留め具としてのボタンは、留め付け及び留め外しが困難であり、特に厚いボタンは留め難いという問題があり、また糊付けされたワイシャツにおいてボタンの取り扱いが困難になるという問題もあり、このような問題の解決は、あらゆる年齢の使用者において必要とされ、安全且つ簡易に使用できる留め具を用いたシャツが求められている。
【０００４】
そこで本考案は、このような課題を解決するためになされたもので、安全且つ簡易に留め付け及び留め外しを行うことができる留め具を用いたシャツを提供する。
【課題を解決するための手段】
【０００５】
上記課題を解決するために、本考案に係るシャツは、衣服として上半身を覆うように形成されており、見頃部が第１の前開き端部と第２の前開き端部を有する前開きであり、前記第１の前開き端部と前記第２の前開き端部を重ねて留めるようにする複数の留め具が設けられているシャツであって、前記複数の留め具は、フック状係合素子とループ状係合素子が同一面に設けられた複数の第１の面ファスナー部材と複数の第２の面ファスナー部材からなり、前記複数の第１の面ファスナー部材と前記複数の第２の面ファスナー部材の対応するそれぞれが、着脱可能なように構成されている複数の面ファスナーであることを特徴とする。
【０００６】
本考案に係るシャツの態様について、袖部と襟部をさらに有するワイシャツであり、前記複数の第１の面ファスナー部材が前記第１の前開き端部の表側に固着され、前記複数の第２の面ファスナー部材が前記第２の前開き端部の裏側に固着され、前記複数の第２の面ファスナー部材と対応する前記第２の前開き端部の表側に複数のボタンが固着されていることが好ましい。
【０００７】
本考案に係るシャツの態様について、前記袖部のそれぞれの袖口に前記面ファスナーが固着され且つカフスボタンが固着されていることが好ましい。
【０００８】
本考案に係るシャツの態様について、ブラウスであることが好ましい。
【考案の効果】
【０００９】
本考案は、安全且つ簡易に留め付け及び留め外しを行うことができる留め具を用いたシャツを提供することができる。
【図面の簡単な説明】
【００１０】
【図１】実施形態のワイシャツの一例を示す模式図である。
【図２】実施形態のワイシャツの一例を示す参考図である。
【考案を実施するための形態】
【００１１】
以下、本考案の実施形態を、図１及び図２を用いて説明する。
【００１２】
図１に示すように、シャツの一例としてのワイシャツ１０は、見頃部１１、袖部１２及び襟部１３を有し、衣服として上半身を覆うように形成されている。
【００１３】
見頃部１１は、第１の前開き端部１１ａと第２の前開き端部１１ｂを有する前開きの構成であり、第１の前開き端部１１ａと第２の前開き端部１１ｂは、重ねて留められるような複数の留め具としての複数の面ファスナー１４が設けられている。
【００１４】
面ファスナー１４は、フック状係合素子とループ状係合素子が、同一面に設けられた第１の面ファスナー部材１４ａと第２の面ファスナー部材１４ｂで構成されている。
【００１５】
第１の面ファスナー部材１４ａと第２の面ファスナー部材は、それぞれの表面が貼り合わされて係合され、これらは、貼り付けること及び剥がすことが自在であり、面的に着脱可能なように構成されている。
【００１６】
すなわち、複数の第１の面ファスナー部材１４ａと複数の第２の面ファスナー部材のそれぞれの表面は、貼り合わされて係合され、第１の前開き端部１１ａと第２の前開き端部１１ｂが重ね合わされ留められ、ワイシャツ１０を上半身にきちんと着衣することができる構成である。このような構成の面ファスナー１４は、安全且つ簡易に留め付け留め外しを行うことができるワイシャツ１０の留め具としての機能を有するものである。
【００１７】
具体的には、複数の第１の面ファスナー部材１４ａは、第１の前開き端部１１ａの表側に固着されており、複数の第２の面ファスナー部材１４ｂは、第２の前開き端部１１ｂの裏側に固着されている。
【００１８】
また、複数の第２の面ファスナー部材１４ｂと対応する第２の前開き端部の表側に複数のボタン１５が固着されている。ボタン１５の取りつけ位置は、この例に限定されず適宜最適な位置に固着すればよく、またボタン１５は必須の構成ではなく、例えば刺繍などを施してもよい。
【００１９】
さらに、袖部１２のそれぞれの袖口１２ａに対して、面ファスナー１４が固着され且つボタン１５またはカフスボタン１５ａが固着されている。袖口１２ａに対する面ファスナー１４の固着は、上記の第１の前開き端部１１ａと第２の前開き端部１１ｂに対する面ファスナー１４の固着と同様であり説明は省略する。
【００２０】
なお、第１の前開き端部１１ａと第２の前開き端部１１ｂに対する面ファスナー１４及びボタン１５の固着は、縫い付けることで固着するようにしてもよいが、これに限定されず、接着、圧着などで固着してもよい。
【００２１】
図２は、シャツ１０に、６組の面ファスナー１４が縫い付けられた例を示す参考図である。図２（ａ）は、第１の面ファスナー部材１４ａと第２の面ファスナー部材１４ｂを示すものであり、また図２（ｂ）は、第１の面ファスナー部材１４ａとボタン１５及びカフスボタン１５ａを示すものである。面ファスナー１４は、上記のとおりフック状係合素子とループ状係合素子が同一面に設けられた第１の面ファスナー部材１４ａと第２の面ファスナー部材１４ｂを構成としている。この６組の面ファスナー１４は、一例であり適宜最適な組数を採用すればよい。
【００２２】
６組の面ファスナー１４は、第１の前開き端部１１ａと第２の前開き端部１１ｂに襟部１３から順に縫い付けられている。この例においては、襟部１３から略３０ｍｍの位置に面ファスナー１４が縫い付けられており、この面ファスナー１４から略８０ｍｍの位置に次の面ファスナー１４が縫い着けられ、残りの４組の面ファスナー１４も同様な間隔で縫い付けられているが、これに限定されず適宜最適なものを選択すればよい。また、この例では、面ファスナー１４は、円形の略２０ｍｍの直径のものであるが、これに限定されず適宜最適な形や大きさのものを選択すればよい。
【００２３】
上記のフック状係合素子とループ状係合素子が同一面に設けられている面ファスナー１４は、例えば、柔らかいループ状係合素子がフック状係合素子よりも高くなるように形成されており、肌に優しく、他の素材を傷めにくく、また糸くずやゴミなどが着きにくい構造となっている。
【００２４】
このような構造の面ファスナー１４を用いたワイシャツ１０は、あらゆる年齢の人にとって、糊付けされていても問題なく使用でき、またボタンを用いて留めるという必要がないことより、安全且つ簡易なものとして快適に使用できる。高齢者や身体の不自由な人にとっても、ボタンを用いて留めるということがないことより、人手に頼ることなく、簡易に着用することができ、外出などにおいても苦慮することなく使用でき生活をより快適なものにすることができる。
【００２５】
また、面ファスナー１４は、上記のとおり柔らかいループ状の素子が高くなるように形成されており、他の衣類に引っかけるということもなく、また糸などに絡むこともなく、使用面でも顕著な効果を有している。さらに、面ファスナー１４は、耐久性を有しており長期な使用も可能であり、洗濯を行った場合においても性能を維持できるものである。
【００２６】
上記の実施形態のシャツは、ワイシャツを一例として説明しているが、これに限定されず、例えば、ブラウスなど上半身に着衣するものであればよい。
【００２７】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００２８】
また、ワイシャツ、ブラウスなどのシャツの種類、大きさや形状、素材の厚さ、重さなどについては多様な実施形態が可能であり、それらについて本実施形態と異なる形態による実施は、本考案の技術的範囲に含まれる。
【符号の説明】
【００２９】
１０    ワイシャツ
１１    見頃部
１１ａ  第１の前開き端部
１１ｂ  第２の前開き端部
１２    袖部
１２ａ  袖口
１３    襟部
１４    面ファスナー
１４ａ  第１の面ファスナー部材
１４ｂ  第２の面ファスナー部材
１５    ボタン
１５ａ  カフスボタン
【図１】
0003212261.tif 000003
【図２】
0003212261.tif 000004